(57)【要約】【課題】施設単位に特徴を捉えたテンプレートを作成し、作成したテンプレートに基づいて管理ポイントの属性を設定できるようにしたエンジニアリング装置および方法を提供する。【解決手段】テンプレート作成手段５は、各管理ポイントが設備機器の種別で分類された属性値群情報を用いて、データ端末３０でデータ収集対象になる管理ポイントのデータの種類と、通信手段２０がその管理ポイントを特定するための属性値とを並べたテンプレートを作成する。管理ポイント情報収集手段２は、管理装置１０−１〜１０−ｎから収集し、管理ポイント紐つけ手段６はテンプレートを用いて、収集した管理ポイント情報に対して属性値を設定する。【選択図】図１
2012203689.tif 000002
【特許請求の範囲】
【請求項１】
設備機器を構成する管理ポイントに固有の識別子と当該管理ポイントで扱うデータの種類とを定義した管理ポイント情報を格納している管理装置と、通信手段を介して接続されて複数の前記管理装置それぞれの管理ポイントからデータを収集するデータ端末とを備える遠隔管理システムを構築するエンジニアリング装置であって、
各管理ポイントが設備機器の種別で分類されていると共に当該各管理ポイントで扱うデータの種類と属性値とが一対一に設定されている属性値群情報の中から、前記データ端末でデータを収集する対象になる管理ポイントのデータの種類と属性値とを抽出して前記設備機器の種別毎に並べたテンプレートを作成するテンプレート作成手段と、
前記複数の管理装置にそれぞれ格納されている管理ポイント情報を収集する管理ポイント情報収集手段と、
前記管理ポイント情報収集手段が収集した管理ポイント情報に対して、前記テンプレート作成手段の作成したテンプレートに含まれる管理ポイントと扱うデータが同じ管理ポイントの属性値を紐つける管理ポイント紐つけ手段とを備えることを特徴とするエンジニアリング装置。
【請求項２】
属性値は、通信手段により管理ポイントを特定するための、設備機器に固有のパスであることを特徴とする請求項１記載のエンジニアリング装置。
【請求項３】
管理ポイント紐つけ手段は、管理装置を、データ端末でデータを収集する対象に追加する場合、管理ポイント情報収集手段が収集した前記新たに追加する管理装置の管理ポイント情報に対して、既に作成されたテンプレートを用いて属性値を紐つけることを特徴とする請求項１または請求項２記載のエンジニアリング装置。
【請求項４】
設備機器を構成する管理ポイントに固有の識別子と当該管理ポイントで扱うデータの種類とを定義した管理ポイント情報を格納している管理装置と、通信手段を介して接続されて複数の前記管理装置それぞれの管理ポイントからデータを収集するデータ端末とを備える遠隔管理システムを構築するエンジニアリング装置のエンジニアリング方法であって、
前記エンジニアリング装置は、
各管理ポイントが設備機器の種別で分類されていると共に当該各管理ポイントで扱うデータの種類と属性値とが一対一に設定されている属性値群情報の中から、前記データ端末でデータを収集する対象になる管理ポイントのデータの種類と属性値とを抽出して前記設備機器の種別毎に並べたテンプレートを作成するテンプレート作成ステップと、
前記複数の管理装置にそれぞれ格納されている管理ポイント情報を収集する管理ポイント情報収集ステップと、
前記管理ポイント情報収集ステップで収集した管理ポイント情報に対して、前記テンプレート作成ステップで作成したテンプレートに含まれる管理ポイントと扱うデータが同じ管理ポイントの属性値を紐つける管理ポイント紐つけステップとを備えることを特徴とするエンジニアリング方法。
【請求項５】
管理装置を、データ端末でデータを収集する対象に追加する場合、管理ポイント紐つけステップは、管理ポイント情報収集ステップで収集した前記新たに追加する管理装置の管理ポイント情報に対して、テンプレート作成ステップで既に作成されたテンプレートを用いて属性値を紐つけることを特徴とする請求項４記載のエンジニアリング装置。
【発明の詳細な説明】
【技術分野】
【０００１】
この発明は、遠隔管理システムを構築するエンジニアリング装置およびエンジニアリング方法に関するものである。
【背景技術】
【０００２】
従来、建物およびプラントなどの施設を２４時間監視管理する監視装置においては、監視対象となる設備の識別子を定義した定義情報、および管理ポイントの識別子と内容を記述したポイント説明などのポイントデータは予め設備を設置する施設毎に決定される。そして、エンジニアリング装置は、監視システムを構築するエンジニアリング作業を行う際に、施設の管理ポイントを監視装置上で管理する管理ポイントに紐つけて定義していく。
【０００３】
特に、オフィスビルにおいては、基準階と呼ばれる同一の空間設備仕様が複数階に渡って適用されている場合が多く、この場合は、基準階の設備に関する管理ポイントを定義したうえで、コピーペーストで同一仕様の設備に関する管理ポイントのデータを複数階分に展開するといったエンジニアリング作業を行っている。
【０００４】
ただし、この管理ポイントの構成は、設計初期から納入に至るまでに多くの追加および変更が生じることが度々あるのが現状である。このような現状に即し、従来のエンジニアリング装置では、定義情報とポイント説明とを設備の種類毎に定義したテンプレートを用意しておき、管理ポイントのデータを表示する詳細画面のレイアウトを定義情報とテンプレートとに基づいて決定し、監視対象の設備の管理ポイントのデータをレイアウトに従って配置して詳細画面を作成し画面表示するようにした（例えば、特許文献１参照）。これにより、管理ポイントの構成が変更される度に作業工数が発生するエンジニアリング作業を効率的に行うことができる。
【０００５】
他方、建物およびプラントなどの施設毎に、監視装置が管理ポイントのデータを収集し、その管理ポイント情報を通信手段を用いてデータセンタに集約する手法が確立されている（例えば、特許文献２参照）。これにより、複数の施設の管理ポイント情報を集約することができる。
【先行技術文献】
【特許文献】
【０００６】
【特許文献１】特開２００５−１８１１９号公報
【特許文献２】特開２００８−２７４６６８号公報
【発明の概要】
【発明が解決しようとする課題】
【０００７】
施設毎の監視装置から通信手段を用いて管理ポイント情報を収集するためには、その施設に従来からある管理ポイント情報に対して追加で、通信手段がその管理ポイントを特定するための属性を設定する必要があった。しかしながら、膨大な量の管理ポイントに対して属性を設定することは、作業量が多く、また、管理ポイントの構成は度々変更が生じるため、その都度属性を再設定する必要があるため、手間がかかり効率が悪いという課題があった。
【０００８】
この発明は、上記のような課題を解決するためになされたもので、施設単位に特徴を捉えたテンプレートを作成し、作成したテンプレートに基づいて管理ポイントの属性を設定できるようにしたエンジニアリング装置およびエンジニアリング方法を提供することを目的とする。
【課題を解決するための手段】
【０００９】
この発明の請求項１に係るエンジニアリング装置は、各管理ポイントが設備機器の種別で分類されていると共に当該各管理ポイントで扱うデータの種類と属性値とが一対一に設定されている属性値群情報の中から、データ端末でデータを収集する対象になる管理ポイントのデータの種類と属性値とを抽出して設備機器の種別毎に並べたテンプレートを作成するテンプレート作成手段と、複数の管理装置にそれぞれ格納されている管理ポイント情報を収集する管理ポイント情報収集手段と、管理ポイント情報収集手段が収集した管理ポイント情報に対して、テンプレート作成手段の作成したテンプレートに含まれる管理ポイントと扱うデータが同じ管理ポイントの属性値を紐つける管理ポイント紐つけ手段とを備えるものである。
【００１０】
この発明の請求項２に係るエンジニアリング装置は、属性値を、通信手段により管理ポイントを特定するための、設備機器に固有のパスとしたものである。
【００１１】
この発明の請求項３に係るエンジニアリング装置は、管理ポイント紐つけ手段が、管理端末を、データ端末でデータを収集する対象に追加する場合、管理ポイント情報収集手段が収集した新たに追加する管理装置の管理ポイント情報に対して、既に作成されたテンプレートを用いて属性値を紐つけるものである。
【００１２】
この発明の請求項４に係るエンジニアリング方法は、各管理ポイントが設備機器の種別で分類されていると共に当該各管理ポイントで扱うデータの種類と属性値とが一対一に設定されている属性値群情報の中から、データ端末でデータを収集する対象になる管理ポイントのデータの種類と属性値とを抽出して設備機器の種別毎に並べたテンプレートを作成するテンプレート作成ステップと、複数の管理装置にそれぞれ格納されている管理ポイント情報を収集する管理ポイント情報収集ステップと、管理ポイント情報収集ステップで収集した管理ポイント情報に対して、テンプレート作成ステップで作成したテンプレートに含まれる管理ポイントと扱うデータが同じ管理ポイントの属性値を紐つける管理ポイント紐つけステップとを備えるものである。
【００１３】
この発明の請求項５に係るエンジニアリング方法は、管理端末を、データ端末でデータを収集する対象に追加する場合、管理ポイント紐つけステップは、管理ポイント情報収集ステップで収集した新たに追加する管理装置の管理ポイント情報に対して、テンプレート作成ステップで既に作成されたテンプレートを用いて属性値を紐つけるものである。
【発明の効果】
【００１４】
この発明の請求項１，４によれば、各管理ポイントが設備機器の種別で分類された属性値群情報を用いて、データ端末でデータを収集する対象になる管理ポイントのデータの種類と属性値を並べたテンプレートを作成し、管理装置から収集した管理ポイント情報に対して属性値を紐つけるようにしたので、各施設の管理装置が共通して備える設備機器の管理ポイントについて属性値群情報を用意しておき、その中から、データ端末でデータを収集したい管理ポイントについて情報を抽出してテンプレートを作成することができるようになり、施設の特徴を捉えたテンプレートを作成することが可能となる。また、共通のテンプレートを用いて管理装置毎の管理ポイントの属性を設定できるため、エンジニアリング作業の効率化を図ることができる。
【００１５】
この発明の請求項２によれば、属性値を、通信手段により管理ポイントを特定するための設備機器に固有のパスにしたので、管理装置毎にばらばらに設定されていた管理ポイント情報に属性値を画一的に設定することができ、さらに、データ端末において属性値を指定することにより当該属性値と紐ついた各管理装置の管理ポイントからデータを収集することができる。このため、データの取得、比較および分析を容易に行うことができる。
【００１６】
この発明の請求項３，５によれば、既に作成されたテンプレートを用いて、追加する管理装置の管理ポイント情報に属性値を紐つけるようにしたので、遠隔管理システムに新たに追加される管理装置の管理ポイントをデータ端末でデータを収集する対象に追加するエンジニアリング作業が容易にできる。また、このとき、データ収集対象の管理ポイントがテンプレート中にあるため、属性値の紐つけ作業漏れを低減することができる。
【図面の簡単な説明】
【００１７】
【図１】この発明の実施の形態１に係るエンジニアリング装置を用いて構築する遠隔管理システムの構成を示すブロック図である。
【図２】実施の形態１に係るエンジニアリング装置が管理装置から収集する管理ポイント情報の例を示す図である。
【図３】実施の形態１に係るエンジニアリング装置の属性値群情報保持手段が有する属性値群情報の例を示す図である。
【図４】実施の形態１に係るエンジニアリング装置のテンプレート作成手段が作成するテンプレートの例を示す図である。
【図５】実施の形態１に係るエンジニアリング装置の管理ポイント紐つけ手段が属性値を設定した管理ポイント情報の例を示す図である。
【図６】実施の形態１に係るエンジニアリング装置の動作を説明するフローチャートである。
【発明を実施するための形態】
【００１８】
実施の形態１．
図１は、本実施の形態１に係るエンジニアリング装置１を用いて構築する遠隔管理システムの構成を示すブロック図である。エンジニアリング装置１は、管理ポイント情報収集手段２、属性値群情報保持手段３、管理ポイント分類手段４、テンプレート作成手段５、管理ポイント紐つけ手段６および管理ポイント情報出力手段７を備える。なお、エンジニアリング装置１を構成する各手段は、不図示の入出力装置を用いて作業者との間で対話的に情報を入出力できるものとする。
【００１９】
また、エンジニアリング装置１は、ウェブ・サービスなどの通信手段２０（インターネット通信と同等である）を介してエンジニアリング装置１に接続された複数の施設（現場）の管理装置１０−１〜１０−ｎにアクセスできるようになっている。同様に、データセンタ内にあるサーバなどのデータ端末３０も、通信手段２０を介して管理装置１０−１〜１０−ｎにアクセスできるようになっている。さらに、データ端末３０とエンジニアリング装置１とは通信回線で接続され（または通信手段２０を介して通信回線で接続され）、データの送受信ができるようになっている。
【００２０】
各施設に設置された管理装置１０−１〜１０−ｎは、少なくとも、管理点コード、ポイント名称、単位、小数点位置などの情報を含む管理ポイント情報を保持している。
図２に、管理ポイント情報の例を示す。例えば、建物設備（空調機、冷凍機、電力メータ群、水系統メータ群など）を管理する管理装置１０−１〜１０−ｎにおいては、建物設備を構成する設備機器（変圧器、温水機、冷水機など）の状態データ（発停など）または物理量データ（電圧、電流など）を収集するために、管理ポイント毎に、固有の識別子である管理点コードおよびポイント名称、物理量データの単位、物理量データの小数点位置などの管理ポイント情報がエンジニアリング作業にて定義されて、管理装置のメモリに格納されている。
ここで、管理装置１０−１に設けた実際の管理ポイントそれぞれを定義した管理ポイント情報を図２（ａ）、管理装置１０−２に設けた実際の管理ポイントそれぞれを定義した管理ポイント情報を図２（ｂ）とする。図２のように、各管理ポイントが扱うデータは変圧器の二次側電流、二次側電圧など共通であるが、管理点コードおよびポイント名称などは施設毎、即ち管理装置毎に任意に付与されており、画一的にはなっていないのが一般的である。
【００２１】
データ端末３０が管理装置１０−１〜１０−ｎに設けた実際の管理ポイントにアクセスして状態データまたは物理量データを収集するためには、管理装置１０−１〜１０−ｎとの間を接続する通信手段２０が管理ポイントを特定するために用いる属性値を設定しておく必要がある。
以下、エンジニアリング装置１が行う、管理装置１０−１〜１０−ｎに設けた実際の管理ポイントの管理ポイント情報を、データ端末３０がデータ収集用に用いる管理ポイント情報に対応付けるための属性値設定作業（ポイントエンジニアリング作業）を説明する。
【００２２】
図１に示すエンジニアリング装置１において、管理ポイント情報収集手段２は、各施設の管理装置１０−１〜１０−ｎに格納されている管理ポイント情報を通信手段２０を介して収集する。収集した管理ポイント情報は、図２に示すものと同じである。
【００２３】
属性値群情報保持手段３は、データ収集対象となり得る管理ポイントを所定のまとまり毎に分類して、そのまとまり毎に、管理ポイントに対応する属性値を記憶している。以下、属性値群情報保持手段３が記憶する情報を属性値群情報と称す。属性値とは、上述したように通信手段２０によって管理ポイントを特定したい場合に必要となる情報であり、本実施の形態１では、一例として、通信手段２０により実際の管理ポイントを特定するためのパス（Ｐａｔｈ）を属性値とする。
【００２４】
管理ポイント分類手段４は、データ収集対象となり得る管理ポイントを所定のまとまりに分類して、そのまとまり毎に並べる（リスト化）。なお、このリストに対して属性値が設定された情報は、上述したように属性値群情報として予め属性値群情報保持手段３に与えておく。
管理ポイントの種類は施設毎に際があり、共通化することは難しいが、通信手段２０を介して管理ポイント情報を集約したい管理ポイントにはある程度の傾向がある。そこで、本実施の形態１では、多くの施設に設置され、かつ、構成がある程度決まっている共通性の高い建物設備（電力メータ群、水系統メータ群、冷凍機群、ボイラ群など）毎に管理ポイントを分類しておく。
【００２５】
図３に、属性値群情報の一例を示す。この例の属性値群情報は、各施設に共通性の高い建物設備として電力メータ、熱量メータ、水系統メータ、冷凍機が設定され、これらの設備毎に管理ポイントを分類して、各管理ポイントに対応する属性値を格納している。管理ポイントを特徴付ける情報としてはポイント種別およびポイント名称が記述され、属性値（パス）が一対一で記述されている。例えば建物設備「電力メータ」のポイント種別「変圧器二次側（３８０Ｖ）」のポイント名称「電流」の管理ポイントの場合、電力メータを特定するパスが「Ｐｏｗｅｒ  ｍｅｔｅｒ」であり、変圧器二次側（３８０Ｖ）を特定するパスが「ＴＲ＿３８０Ｖ」であり、そのうちの電流データを扱う管理ポイントを特定するパスが「ＩＥ」である。これらのパスからなる属性値「Ｐｏｗｅｒ  ｍｅｔｅｒ／ＴＲ＿３８０Ｖ／ＩＥ」は、管理装置１０−１〜１０−ｎそれぞれの該当する管理ポイントを特定する情報である。また、この属性値に、管理装置を特定するパスを付与することにより、通信手段２０が、該当する管理装置１０−１〜１０−ｎの下位の管理ポイントを特定する情報となる。
なお、各施設に共通性の高い建物設備の指定、各建物設備の有する管理ポイントの情報、および属性値は、作業者が入出力装置を用いて管理ポイント分類手段４に入力すればよい。
【００２６】
テンプレート作成手段５は、属性値群情報保持手段３が記憶している属性値群情報の中から、集約したい管理ポイント（即ち、データ端末３０でデータ収集対象にする管理ポイント）を特徴付ける情報（ポイント種別およびポイント名称）と属性値とを取得して、属性値群情報保持手段３が分類したまとまり毎に並べたテンプレートを作成する。
また、テンプレート作成手段５は、作成したテンプレート中に、管理ポイント情報収集手段２が収集した管理ポイント情報に含まれる単位および小数点位置などの属性値を設定してもよい。
なお、テンプレート化の対象にする管理ポイントの指示は、作業者が入出力装置を用いてテンプレート作成手段５に入力すればよい。
【００２７】
図４に、テンプレートの一例を示す。この例では、図３に示す属性値群情報から、変圧器二次側（３８０Ｖ）の電流と電圧、冷水系統の供給熱量、温水系統の供給熱量、および冷凍機の電圧を管理する管理ポイントの管理ポイント情報を集約するために用いるテンプレートを作成している。
【００２８】
管理ポイント紐つけ手段６は、管理ポイント情報収集手段２が収集した各管理装置１０−１〜１０−ｎの管理ポイント情報と、テンプレート作成手段５が作成したテンプレートの内容とを紐つけして、属性値の設定された管理ポイント情報を作成する。また、管理ポイント紐つけ手段６は、属性値を設定した管理ポイント情報を記憶しておいてもよい。
【００２９】
図５に、属性値を設定した管理ポイント情報の一例を示す。図５（ａ）は、管理装置１０−１から収集した管理ポイント情報（図２（ａ）に示す）に対して、図３に示すテンプレートを用いて属性値を付与したものである。図５（ｂ）は、管理装置１０−２から収集した管理ポイント情報（図２（ｂ）に示す）に対して、図３に示すテンプレートを用いて属性値を付与したものである。
なお、管理装置から収集した管理ポイント情報のうちの管理ポイントとテンプレートのうちの管理ポイントとの紐つけは、作業者が入出力装置を用いて管理ポイント紐つけ手段６に指示を出せばよい。例えば図２（ａ）に示す管理点コード「１．１．１．１」の管理ポイントは、変圧器の二次側電流を管理する目的のものであり、図４に示すテンプレート中、ポイント種別「変圧器二次側（３８０Ｖ）」かつポイント名称「電流」の管理ポイントと同じ目的であると考えられる。そこで、作業者が管理ポイント紐つけ手段６へ管理点コード「１．１．１．１」の管理ポイント情報を選択指示し、テンプレート中のポイント種別「変圧器二次側（３８０Ｖ）」の属性値「Ｐｏｗｅｒ  ｍｅｔｅｒ／ＴＲ＿３８０Ｖ／ＩＥ」に紐つける指示を出す。管理ポイント紐つけ手段６はその指示に従い、図２（ａ）に示す管理ポイント情報の管理点コード「１．１．１．１」の管理ポイントに属性値「Ｐｏｗｅｒ  ｍｅｔｅｒ／ＴＲ＿３８０Ｖ／ＩＥ」を設定する。
【００３０】
管理ポイント情報出力手段７は、管理ポイント紐つけ手段６が属性値を設定した管理ポイント情報を、通信回線を通じて例えばデータセンタにあるデータ端末３０に出力する。
このデータ端末３０は、通信手段２０により、接続許可された管理装置１０−１〜１０−ｎに対して属性値（パス）を利用したデータ要求を行い、該当する管理ポイントの状態データまたは物理量データを収集する機能を備える。
例えば、作業者がデータ端末３０に対して管理装置１０−１の「Ｐｏｗｅｒ  ｍｅｔｅｒ／ＴＲ＿３８０Ｖ／ＩＥ」を指定すると、データ端末３０が通信手段２０を介して管理装置１０−１より管理点コード「１．１．１．１」の「１階変圧器二次側電流」の電流値を収集する。また、データ端末３０は、管理装置１０−２の「Ｐｏｗｅｒ  ｍｅｔｅｒ／ＴＲ＿３８０Ｖ／ＩＥ」が指定されると、通信手段２０を介して管理装置１０−２より管理点コード「１４１００２１．０２」の「［電流］変圧器２次側」の電流値を収集する。
このように、各施設の似たような設備機器の管理ポイントに対して、同一のパスを設定可能になるため、管理ポイントから状態データまたは物理量データを取得しやすく、さらに、取得したデータの比較および分析も容易にできるようになる。
【００３１】
次に、図６に示すフローチャートを用いて、エンジニアリング装置１の動作を説明する。なお、属性値群情報保持手段３には予め属性値群情報が格納されているものとする。
先ず、テンプレート作成手段５が、属性値群情報保持手段３に格納されている属性値群情報を作業者に提示し、作業者の選択指示を受け付けて、テンプレート化する管理ポイント情報のポイント種別、ポイント名称および属性値を抽出してテンプレートを作成する（ステップＳＴ１、テンプレート作成ステップ）。
続いて、管理ポイント情報収集手段２が、各施設の管理装置１０−１〜１０−ｎに格納されている管理ポイント情報を、通信手段２０を介して収集する（ステップＳＴ２；管理ポイント情報収集ステップ）。
続いて、管理ポイント紐つけ手段６が、管理ポイント情報収集手段２の収集した管理ポイント情報を作業者に提示し、作業者の選択指示を受け付けて、指示された管理ポイント情報に対して同じく指示されたテンプレート中の属性値を紐つけて、管理ポイント情報を更新する（ステップＳＴ３；管理ポイント紐付けステップ）。
続いて、管理ポイント紐つけ手段６が、属性値を設定した管理ポイント情報を保存すると共に、管理ポイント情報出力手段７がデータ端末３０へ出力する（ステップＳＴ４）。
【００３２】
ホテル、空港など同じような機器構成の複数の施設の各管理装置に対して、同一のテンプレートを用いて属性値を設定することにより、容易にポイントエンジニアリング作業を行うことができ、作業効率が向上する。また、属性値群情報にリスト化する管理ポイントを建物設備毎にまとめておき、テンプレートを作成する際には、このまとまりの中から管理ポイントの情報と属性値とを抽出するので、管理ポイントの抽出漏れを低減することができる。また、同一テンプレートを用いるため、各施設から収集した管理ポイント情報に対して管理ポイントの属性値設定漏れを低減することができる。さらに、他の施設と共通の属性で管理ポイント情報を集約できるので、施設毎のデータの収集、比較および分析が容易にできるようになる。
【００３３】
なお、遠隔管理システムに新たに管理装置を追加したり、データ端末３０のデータ収集対象となる管理装置を追加したりした場合には、その管理装置の管理ポイント情報に属性値を設定する必要がある。その場合、追加対象の管理装置の管理ポイントのうち、図６のステップＳＴ１にて作成したテンプレートに含まれる管理ポイントについて、ステップＳＴ３にて属性値をテンプレートから抽出して設定する処理を行えばよい。このとき、データ収集対象の管理ポイントがテンプレート中に明示されているため、新たに追加する管理ポイントに属性値を紐つける作業の漏れを低減することができる。
【００３４】
以上より、実施の形態１によれば、エンジニアリング装置１は、属性値群情報にリスト化する管理ポイントを設備機器の種別で分類する管理ポイント分類手段４と、属性値群情報保持手段３が保持する、設備機器の種別で分類され各管理ポイントで扱うデータの種類と属性値とが一対一に設定された属性値群情報の中から、データ端末３０でデータを収集する対象になる管理ポイントのデータの種類と属性値とを抽出して設備機器の種別毎に並べたテンプレートを作成するテンプレート作成手段５と、複数の管理装置１０−１〜１０−ｎにそれぞれ格納されている管理ポイント情報を収集する管理ポイント情報収集手段２と、管理ポイント情報収集手段２が収集した管理ポイント情報に対して、管理ポイント分類手段４の作成したテンプレートに含まれる管理ポイントと扱うデータが同じ管理ポイントの属性値を紐つける管理ポイント紐つけ手段６と、管理ポイント紐つけ手段６が属性値を設定した管理ポイント情報をデータ端末３０に出力する管理ポイント情報出力手段７とを備えるように構成した。このため、各施設の管理装置が共通して備える設備機器の管理ポイントについて属性値群情報を用意しておき、そこからデータ端末でデータを収集したい管理ポイントについて情報を抽出してテンプレートを作成することができるようになり、施設の特徴を捉えたテンプレートを作成可能となる。また、管理装置１０−１〜１０−ｎ毎にばらばらに設定されていた管理ポイント情報に、属性値を画一的に設定することができる。さらに、各管理装置に共通のテンプレートを用いて、管理装置毎の管理ポイントの属性を設定できるため、エンジニアリング作業の効率化を図ることができる。
【００３５】
また、実施の形態１によれば、属性値は、通信手段２０により管理ポイントを特定するための、設備機器に固有のパスにしたので、データ端末３０において、作業者が属性値を指定することにより、当該属性値と紐ついた各管理装置１０−１〜１０−ｎの同じポイント種別の管理ポイントからデータを収集することができる。このため、データ端末３０によるデータの収集だけでなく、施設間でのデータの比較および分析を容易に行うことができる。
【００３６】
また、実施の形態１によれば、管理ポイント紐つけ手段６は、管理装置を、データ端末でデータを収集する対象に追加する場合、管理ポイント情報収集手段２が収集した新たに追加する管理装置の管理ポイント情報に対して、テンプレート作成手段５が既に作成したテンプレートを用いて属性値を紐つけるようにしたので、遠隔管理システムに新たに追加される管理装置の管理ポイントをデータ端末でデータを収集する対象に追加するエンジニアリング作業が容易にできる。また、このとき、データ収集対象の管理ポイントがテンプレート中にあるため、属性値の紐つけ作業漏れを低減することができる。
【００３７】
なお、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【符号の説明】
【００３８】
１  エンジニアリング装置
２  管理ポイント情報収集手段
３  属性値群情報保持手段
４  管理ポイント分類手段
５  テンプレート作成手段
６  管理ポイント紐つけ手段
７  管理ポイント情報出力手段
１０−１〜１０−ｎ  管理装置
２０  通信手段
３０  データ端末
【図１】
2012203689.tif 000003
【図２】
2012203689.tif 000004
【図３】
2012203689.tif 000005
【図４】
2012203689.tif 000006
【図５】
2012203689.tif 000007
【図６】
2012203689.tif 000008